(57)【要約】【課題】就寝の場としてだけでなく夫婦の寛ぎの場としても活用することができる寝室を提供する。【解決手段】少なくとも隣り合う二つの壁面２、４に接し周囲よりも高い位置に形成された寝台領域１０と、移動式寝台を増設可能な寝台増設領域２０と、を備える寝室１である。寝台領域１０は、布団二組を配置可能な広さの畳部１２を有している。【選択図】図１
2015175121.tif 000002
【特許請求の範囲】
【請求項１】
少なくとも隣り合う二つの壁面に接し周囲よりも高い位置に形成された寝台領域と、移動式寝台を増設可能な寝台増設領域と、を備え、前記寝台領域は、布団二組を配置可能な広さの畳部を有している、寝室。
【請求項２】
前記寝台領域は、平面視矩形状であって三辺が壁面に接している、請求項１に記載の寝室。
【請求項３】
前記寝台領域が接する壁面の一部は、布団収納用の建具で形成されている、請求項１又は２に記載の寝室。
【請求項４】
前記寝台領域のうち前記寝台領域が接する少なくとも一つの壁面に沿った部分に、第一の板部が形成されている、請求項１から３の何れか一項に記載の寝室。
【請求項５】
前記畳部は、帯状の第二の板部によって二分されている、請求項１から４の何れか一項に記載の寝室。
【請求項６】
前記寝台領域のうち前記寝台増設領域側の部分に、所定幅の框部が形成されている、請求項１から５の何れか一項に記載の寝室。
【請求項７】
前記畳部は、着脱自在な下地板の上に配置されており、前記下地板の下方には床下収納部が形成されている、請求項１から６の何れか一項に記載の寝室。
【発明の詳細な説明】
【技術分野】
【０００１】
本発明は、寝室に関する。
【背景技術】
【０００２】
住宅には、家族が集まるための居間や食堂に加えて、夫婦の就寝用の部屋となる寝室が設けられ、ベッドを二つ配置することができる８畳程度の広さの寝室が提案されている（例えば、特許文献１参照）。
【先行技術文献】
【特許文献】
【０００３】
【特許文献１】特開平８−１３５２０９号公報
【発明の概要】
【発明が解決しようとする課題】
【０００４】
しかし、特許文献１に記載されたようなさほど広くない寝室では、ベッドスペースの他に、他の部屋へ出入りしたり収納に物を出し入れしたりするための通路スペースも必要であることを考慮すると、夫婦が寛ぐためのソファー等を配置するためのスペースを確保することは困難であった。このため、寝室は単なる就寝の場として利用され、夫婦が寛ぐ場としては活用され難いという問題があった。
【０００５】
本発明は、かかる事情に鑑みてなされたものであり、就寝の場としてだけでなく夫婦の寛ぎの場としても活用することができる寝室を提供することを目的とする。
【課題を解決するための手段】
【０００６】
前記目的を達成するため、本発明に係る寝室は、少なくとも隣り合う二つの壁面に接し周囲よりも高い位置に形成された寝台領域と、移動式寝台を増設可能な寝台増設領域と、を備え、寝台領域は、布団二組を配置可能な広さの畳部を有しているものである。
【０００７】
かかる構成を採用すると、夫婦の就寝スタイル（就寝時の夫婦の分離度）の変化に柔軟に対応させながら、寝室に寛ぎの場を確保することができる。例えば、夫婦が近くに就寝する場合（寝台領域に配置した二組の布団で夫婦が就寝する場合）には、寝台増設領域にソファー等を設置して寛ぎの場を確保することができる。その後、夫婦が離れて就寝するようになった場合（寝台領域に配置した布団で一方が就寝し、寝台増設領域に設置した移動式寝台で他方が就寝する場合）には、布団を片付けて寝台領域の畳部を寛ぎの場として確保することができる。また、寝台領域が少なくとも隣り合う二つの壁面に接しているので、就寝場所として落ち着いた空間とすることができる。なお、「寝台領域」は、就寝や寛ぎ等の居室的用途に利用される領域であり、収納等に使用される領域を含まないものである。また、「壁面」は、建築壁面のみならず、建具等によって形成された面をも含む概念である。
【０００８】
本発明に係る寝室において、平面視矩形状であって三辺が壁面に接している寝台領域を採用することができる。
【０００９】
かかる構成を採用すると、平面視矩形状の寝台領域の三辺が壁面に接しているため、就寝場所としてより落ち着いた空間とすることができる。
【００１０】
本発明に係る寝室において、寝台領域が接する壁面の一部を、布団収納用の建具で形成することができる。
【００１１】
かかる構成を採用すると、寝台領域が接する壁面の一部が布団収納用の建具で形成されているため、畳部を寛ぎの場として利用する際に寝台領域の布団を逸早く片付けることができ、便利である。
【００１２】
本発明に係る寝室において、寝台領域のうち寝台領域が接する少なくとも一つの壁面に沿った部分に、第一の板部を形成することができる。
【００１３】
かかる構成を採用すると、寝台領域の一部（寝台領域が接する少なくとも一つの壁面に沿った部分）に形成された第一の板部にテレビ等を設置することができるので、寝台領域で横になりながらテレビ鑑賞することができ、かつ就寝のスペースを確保することができる。
【００１４】
本発明に係る寝室において、畳部を、帯状の第二の板部によって二分することができる。
【００１５】
かかる構成を採用すると、畳部が帯状の第二の板部によって二分されているため、例えば、布団を片付けた状態で夫婦が畳部に第二の板部を挟んで向かい合うように座ることができる。その際、第二の板部を座卓代わりに使用する（第二の板部にグラス、器、灰皿等を置く）ことができる。
【００１６】
本発明に係る寝室において、寝台領域のうち寝台増設領域側の部分に、所定幅の框部を形成することができる。
【００１７】
かかる構成を採用すると、夫婦が離れて就寝する場合（寝台領域に配置した布団で一方が就寝し、寝台増設領域に設置した移動式寝台で他方が就寝する場合）に、框部に衝立や間仕切り家具等を置いて空間を簡易的に仕切ることができる。
【００１８】
本発明に係る寝室において、畳部を着脱自在な下地板の上に配置し、下地板の下方に床下収納部を形成することができる。
【００１９】
かかる構成を採用すると、畳部及び下地板を取り外して、例えば季節物の生活用品等を床下収納部に収納することができる。このようにすることにより、寝室が雑然とならず落ち着いた空間となる。
【発明の効果】
【００２０】
本発明によれば、就寝の場としてだけでなく夫婦の寛ぎの場としても活用することができる寝室を提供することが可能となる。
【図面の簡単な説明】
【００２１】
【図１】本発明の実施形態に係る寝室の平面図である。
【図２】図１のII-II部分の断面図である。
【図３】図１のIII-III部分の断面図である。
【図４】図１に示す寝室を矢印IV方向から見た図である。
【図５】図１に示す寝室を矢印V方向から見た図である。
【図６】図１に示す寝室を矢印VI方向から見た図である。
【図７】図１に示す寝室を矢印VII方向から見た図である。
【図８】本発明の他の実施形態に係る寝室の平面図である。
【図９】本発明の他の実施形態に係る寝室の平面図である。
【図１０】本発明の他の実施形態に係る寝室の平面図である。
【発明を実施するための形態】
【００２２】
以下、図面を参照して、本発明の実施形態について説明する。なお、以下の実施形態はあくまでも好適な適用例であって、本発明の適用範囲がこれに限定されるものではない。
【００２３】
本実施形態に係る寝室１は、夫婦に就寝の場だけでなく寛ぎの場を提供するために住宅内部に設けられるものである。寝室１は、図１〜図５に示すように、周囲よりも高い位置に形成された寝台領域１０と、破線で示すベッドＢ（移動式寝台）を増設可能な寝台増設領域２０と、を備えている。
【００２４】
寝台領域１０は、図１に示すように平面視矩形状を呈する領域である。寝台領域１０の対向する二辺１０ａ、１０ｂは、図１及び図２に示すように、寝室１を構成する対向する壁部２、３に各々接している。また、寝台領域１０の対向する二辺１０ａ、１０ｂに挟まれた一辺１０ｃは、図１、図４及び図５に示すように、押入れ３０の扉３１（後述）で形成された壁面４に接している。すなわち、本実施形態における寝台領域１０は、その三辺１０ａ、１０ｂ、１０ｃが三つの壁面２、３、４に各々接しており、他の一辺１０ｄは壁面に接していない。
【００２５】
寝台領域１０には、図１及び図２に示すように、寝台領域１０が接する一つの壁面２に沿った部分に第一の板部１１が形成されている。また、寝台領域１０は、図１〜図３に示すように、布団二組を配置可能な広さの畳部１２を有している。布団の大きさは、短辺が９０〜１００ｃｍ、長辺が２００〜２１０ｃｍ程度を想定している。畳部１２は、図１に示すように、第一の板部１１に平行に延在する帯状の第二の板部１３によって二分されている。畳部１２は、図２及び図３に示すように、着脱自在な下地板１２ａの上に配置されており、下地板１２ａの下方には床下収納部１２ｂが形成されている。畳部１２及び下地板１２ａを取り外し、床下収納部１２ｂに例えば季節物の生活用品等を収納することができる。このようにすることにより、寝室１が雑然となることを防ぐことができ、寝室１を落ち着いた空間とすることができる。
【００２６】
寝台領域１０の寝台増設領域２０側の部分には、図１及び図３に示すように、所定幅（例えば３０ｃｍ）の框部１４が形成されている。寝台領域１０の高さと寝台増設領域２０の高さとの差は、３０〜４０ｃｍに設定される。寝台領域１０と寝台増設領域２０との間にこのような高さの差を設定すると、寝台増設領域２０に設置したベッドで就寝する一方と、寝台領域１０の畳部１２に敷いた布団で就寝する他方と、の視線の高さがほぼ揃うため、コミュニケーションがとり易いという利点がある。
【００２７】
寝台領域１０の奥側には、図１、図４、図５、図７に示すように、二つの押入れ３０が設けられており、これら二つの押入れ３０の間には、平面視矩形状の第三の板部１５が形成されている。押入れ３０には、布団や衣類等を収納することができる。各押入れ３０の扉３１は、図１に破線で示すように、二つ折りになりながら壁側に移動して開く折れ扉となっている。各扉３１の下端３１ａは、図７に示すように、寝台領域１０の畳部１２の上面よりも所定寸法（例えば２０〜３０ｃｍ）だけ上方に位置している。このようにすることにより、寝台領域１０の畳部１２に布団を敷いたままでも扉３１の開閉ができるようになっている。
【００２８】
壁面３の寝台領域１０に接する部分には、図１及び図５に示すように、開閉自在な窓４０が設けられている。また、図１及び図５に示すように、壁面３の寝台増設領域２０に接する部分にも開閉自在な５０が設けられている。このように、壁面３のうち寝台領域１０に接する部分と、寝台増設領域２０に接する部分と、の双方に窓４０、５０が設けられていることから、夫婦が離れて就寝した場合に、それぞれに通風及び採光が可能な居住環境を確保することができる。なお、図１及び図７に示すように、寝台領域１０の奥側にも開閉自在な窓６０が設けられている。また、図１及び図４に示すように、壁面２の寝台増設領域２０に接する部分には室内通風窓７０が設けられている。
【００２９】
本実施形態においては、図１に示すように、平面視矩形状の寝室１を採用している。寝室１の広さ（面積）は、７畳〜９畳程度に設定される。寝室１の短辺は、約２．７〜３．０ｍ程度に設定され、長辺は４．２〜４．５ｍ程度に設定されている。寝室１の入口には、図１及び図６に示すように引き戸７が設けられている。引き戸７の隣には、扉８１を有する収納空間８０が設けられている。収納空間８０の扉８１は、図１に破線で示すように、二つ折りになりながら壁側に移動して開く折れ扉となっている。また、寝室１には、入口から寝台領域１０に至るための通路となる通路領域９０が設けられている。
【００３０】
以上説明した実施形態に係る寝室１においては、夫婦の就寝スタイル（就寝時の夫婦の分離度）の変化に柔軟に対応させながら、寛ぎの場を確保することができる。例えば、夫婦が近くに就寝する場合（寝台領域１０に配置した二組の布団で夫婦が就寝する場合）には、寝台増設領域２０にソファー等を設置して寛ぎの場を確保することができる。その後、夫婦が離れて就寝するようになった場合（寝台領域１０に配置した布団で一方が就寝し、寝台増設領域２０に設置したベッドで他方が就寝する場合）には、布団を片付けて寝台領域１０の畳部１２を寛ぎの場として確保することができる。
【００３１】
また、以上説明した実施形態に係る寝室１においては、平面視矩形状の寝台領域１０の三辺１０ａ、１０ｂ、１０ｃが各々壁面２、３、４に接しているため、就寝場所としてより落ち着いた空間とすることができる。
【００３２】
また、以上説明した実施形態に係る寝室１においては、寝台領域１０が接する壁面４が布団収納用の建具（押入れ３０の扉３１）で形成されているため、畳部１２を寛ぎの場として利用する際に寝台領域１０の布団を逸早く片付けることができ、便利である。
【００３３】
また、以上説明した実施形態に係る寝室１においては、寝台領域１０の一部（寝台領域１０が接する一つの壁面２に沿った部分）に形成された第一の板部１１にテレビ等を設置することができるので、寝台領域１０で横になりながらテレビ鑑賞することができ、かつ就寝のスペースを確保することができる。
【００３４】
また、以上説明した実施形態に係る寝室１においては、畳部１２が帯状の第二の板部１３によって二分されているため、例えば、布団を片付けた状態で夫婦が畳部１２に第二の板部１３を挟んで向かい合うように座ることができる。その際、第二の板部１３を座卓代わりに使用する（第二の板部１３にグラス、器、灰皿等を置く）ことができる。
【００３５】
また、以上説明した実施形態に係る寝室１においては、寝台領域１０のうち寝台増設領域２０側の部分に所定幅の框部１４を形成しているため、夫婦が離れて就寝する場合（寝台領域１０に配置した布団で一方が就寝し、寝台増設領域２０に設置したベッドで他方が就寝する場合）に、框部１４に衝立や間仕切り家具等を置いて空間を簡易的に仕切ることができる。
【００３６】
また、以上説明した実施形態に係る寝室１においては、畳部１２及び下地板１２ａを取り外して、例えば季節物の生活用品等を床下収納部１２ｂに収納することができる。このようにすることにより、寝室１が雑然とならず落ち着いた空間となる。
【００３７】
なお、本実施形態においては、平面視矩形状の寝室１を例示したが、寝室の平面形状はこれに限られるものではなく、例えば、図８に示すように平面視Ｌ字形の寝室１を採用したり、図９に示すように矩形を二つ組み合わせたような形の寝室１を採用したりすることもできる。
【００３８】
また、本実施形態においては、寝台領域１０の三方を壁面２、３、４で囲った例を示したが、例えば図１０に示すように、寝台領域１０の二辺１０ｂ、１０ｃが隣り合う壁面３、４に接するようにし、一辺１０ａを壁面２から離隔させることもできる。
【００３９】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４０】
１…寝室
２・３・４…壁面
１０…寝台領域
１１…第一の板部
１２…畳部
１２ａ…下地板
１２ｂ…床下収納部
１３…第二の板部
１４…框部
２０…寝台増設領域
３１…押入れの扉（布団収納用の建具）
【図１】
2015175121.tif 000003
【図２】
2015175121.tif 000004
【図３】
2015175121.tif 000005
【図４】
2015175121.tif 000006
【図５】
2015175121.tif 000007
【図６】
2015175121.tif 000008
【図７】
2015175121.tif 000009
【図８】
2015175121.tif 000010
【図９】
2015175121.tif 000011
【図１０】
2015175121.tif 000012